(57)【要約】【課題】  ソファー等に座り、赤ちゃんやペット、あるいは手芸道具や本、パソコン等、またはへたを取り除きたい絹さや食したい蜜柑菓子等々、これらを載せて膝の上で使用する、膝上台を提供する。【解決手段】  台状の上面を有し、膝等の擬似的下台に載せた時、該上面の水平が保たれるように、裏部を擬似的下台に対して固定可能に設けたことを特徴とする、膝上台。【選択図】図１
2010214075.tif 000002
【特許請求の範囲】
【請求項１】
台状の上面を有し、膝等の擬似的下台に載せた時、該上面の水平が保たれるように、裏部を擬似的下台に対して固定可能に設けたことを特徴とする、膝上台。
【請求項２】
台状の上面を有し、膝等の擬似的下台に載せた時、該上面の水平が保たれるように、裏部は、擬似的下台の前後の傾斜に対応して前後の厚みを異なって設けたことを特徴とする、膝上台。
【請求項３】
台状の上面を有し、膝等の擬似的下台に載せた時、両側面部は擬似的下台を挟む幅を有する位置にあり、擬似的下台の前、後位置における左右幅の変化に対応して前面側を狭くあるいは前面側の側面部を内側に向けて分厚く設けたことを特徴とする、請求項１、２記載の膝上台。
【請求項４】
裏部中央から下方に向けて、狭持部を有することを特徴とする、請求項１，２、３記載の膝上台。
【発明の詳細な説明】
【技術分野】
【０００１】  本発明は、ソファー等に座り、赤ちゃんやペット、あるいは手芸道具や本、パソコン等、またはへたを取り除きたい絹さや、食したい蜜柑菓子等々、これらを置き、膝等の擬似的下台の上に載せて使用する、膝上台に関するものである。
【背景技術】
【０００２】  従来、膝上に載せる台は特に存在せず、板や大きめの本を代用することがあった。
【発明の開示】
【発明が解決しようとする課題】
【０００３】  そのために次のような問題点があった。
（イ）赤ん坊やペットを膝に載せる時、膝は二股に分かれていて、彼らの足が中央の凹みに落ち込んだりして、落ち着かなかった。
（ロ）赤ん坊の足が膝の凹みに滑り込み、捻挫しそうな不安感があった。
（ハ）力強くなった赤ちゃんの足先が、直接膝の一部に当たるため痛みを感じる場合があった。
（ニ）軽量なペットでも、長時間では一部が圧迫されてだっこが苦痛になった。
（ホ）膝上は二つの凸形状で成り、ここに物を置いても両膝にきちんと渡らない限り、安定しなかった。
（ヘ）膝の凹みに入り込み、手芸道具の針が見えにくくなりがちだった。
（ト）パソコンを載せた時、擬似的下台となる膝上が水平ではないため、見えにくく滑り落ちやすく、安定させるために膝から下側を上げたり、足先を遠くへ伸ばして持ち上げたりしなければならなかった。
（チ）代用する板や本では、重かったり膝の曲面に添って湾曲したりして不便だった。
（リ）ソファーに座った時、テーブルは使い易い位置にはなく、その高さや位置の状態は、くつろぎ時間がより有効に効果的にならないため、不便を感じていた。
本発明はこれらの問題点を解決するためになされたものである。
【課題を解決するための手段】
【０００４】  台状の上面を有し、膝等の擬似的下台に載せた時、該上面の水平が保たれるように、裏部を擬似的下台に対して固定可能に設けたことを特徴とする。
【発明の効果】
【０００５】  赤ちゃんのたっちが、足をひねるような心配もなく楽しく楽に行え、受け止める側に対しても、体重が分散し足先が集中的に当たることがなく、痛みもなくなった。
体重が当発明に吸収されて、長時間のだっこが平気になった。
テレビを見たりしながら、膝の上で蜜柑の皮を剥いたり出来、ソフアーで過ごすくつろぎ時間をより有効に活用出来るようになった。
パソコンを載せても自然な状態で滑りおちにくく使い易くなった。
手芸道具の針が見つかり易くなった。
体の不調な時には、醤油を載せたりして、食事をすることが出来易くなつた。
【発明を実施するための最良の形態】
【０００６】  以下、本発明の実施の形態について説明する。
一重状、二重状、三重状が考えられるが、主として二重状で説明する。
図１〜図３を用いて、第１の形態について説明する。
図１は、上部（２）と下部（１）から成る二重状の斜視図で、前面、上面、側面（３）を示す。上部は硬質で、表面は滑りにくい材質がよく、滑り止め効果のあるシートを別に貼り付ける場合は三重状となる。下部はクッション性を少し有する、脚に違和感のない滑りにくい材質で作成し、上部と共に軽量にする。また下部は平盤状でも、または膝を包むような凹凸状で設けても構わない。全体を同一材の一重状で設ける場合も含むが、この場合、硬質でありながら軽量で膝に触れて痛みのない、熱さや冷たさが伝導しにくいものを選択する。図２は、下部を使用時に膝を包む形状にする場合で、ａは裏面図で、下部裏部（４）の中央（５）をラインで示し、ｂは正面図で、中央や両端の前方辺りに、他より厚みや硬さを有するように、上部裏から下部に向け、芯部（６）を設ける等とする。材質に関しては以下の形態に通じる。
図３は使用図で、ソファー（７）に座った時の膝の擬似的下台（８）上に、積載物（９）を載せた下部の変化を示している。仕事途中に膝から下ろし、そのままテーブル等の、平らな別の台上に置き換えることが可能である。【０００７】  図４〜図８を用いて、第２の形態について説明する。
図４は、上部（２）と下部（１）から成る二重状の斜視図で、前面、上面、側面（３）を示す。前方から後方（１０）へ下部の厚みを次第に薄く変えることが特徴で、その他の条件は第１の形態と同様である。
図５は使用図で、ソファー（７）、上部と下部の前面、赤ちゃんの積載物（９）を示している。図６は使用側面図で、積載物の四つ足動物の足付近、膝の擬似的下台（８）、上部と下部の側面、上面を示している。当発明の分厚い側を前方に向けて載せる。
図７は平面図で、ａは膝の幅に合わせ前方を狭くした、ｂは後方側を腹の膨らみに添って湾曲状に変形した場合である。図８は上面端部にストッパー（１１）を有する場合の正面図である。図７，図８の変形は全形態に通じる。【０００８】  図９〜図１３を用いて、脚部を有する第３の形態について説明する。
図９は斜視図で、上部（２）と下部（１）の前面、上面、側面（３）を示した図１に、脚部（１２）が加わる。脚部の縦幅は脚の最大の厚みを肥えない範囲で選ぶ。図１０ａは背面図、ｂは底面図で、上部の端部を曲げて脚部の外側を設け、内側の前面側内部（１３）を分厚くクッション性を少し持たせて設けた。
図１１は使用図で、ソファー（７）、膝の擬似的下台（８）、上部と下部の前面、食したい蜜柑、菓子等の積載物（９）を示している。脚部の長さが同じなので、仕事途中に膝から下ろし、そのまま卓上等の平らな別の台上に置き換えることが可能である。図１２は使用断面図で、中央断面（１４）形状を示している。
図１３は一部を変形した場合の斜視図で、ａは脚部の長さが前後で異なる場合、ｂはこれに凹み（１５）を取って用として設けた場合である。図１３の変形は以下に通じる。【０００９】  図１４〜図１６を用いて、狭持部を有する第４の形態について説明する。
図１４は斜視図で、ａは上部（２）と下部（１）の前面、上面、側面（３）、脚部（１２）を示した図９に、狭持部（１６）が加わる。狭持部の縦幅は、平らな別の台上への移動を考える場合は、両端の脚部の下端位置以内に設ける。側面部を有さない形態に狭持部を設けることも可能で、縦幅は脚の最大の厚みを肥えない範囲で選ぶ。ｂは使用図で、ソファー（７）、狭持部を挟んだ膝の擬似的下台（８）、手芸道具等の積載物（９）を示している。
図１５は、レース等の生地（１７）を添える形態で、生地を全体に被せて三重状で設けるか、上部と下部の間に挟んだり接着して設ける場合の使用図で、ａは前方に生地を垂らしている。狭持部を挟む状態を隠し、膝先をより綺麗に見せる効果がある。ｂは車内での使用図で、ａの生地を発展させた。ペットの体を包んで、この端を人の体の一部やベルト（１８）に装着する。このように膝カバーと両方を兼ねることも可能である。生地に関しては全形態に通じる。
図１６は狭持部を脚の厚み分の縦幅に延長し、底面部（１９）と繋いだ形態である。
使い方は下部と底面部の間に脚を置く。固定がよりきちんと行われるメリットがある。この場合は両側の脚部は不要である。
【図面の簡単な説明】
【００１０】
【図１】  本発明の斜視図である。
【図２】  本発明の平面図と、分解図である。
【図３】  本発明の使用図である。
【図４】  本発明の斜視図である。
【図５】  本発明の使用図である。
【図６】  本発明の使用図である。
【図７】  本発明の平面図である。
【図８】  本発明の正面図である。
【図９】  本発明の斜視図である。
【図１０】  本発明の背面図と底面図である。
【図１１】  本発明の使用図である。
【図１２】  本発明の断面図である。
【図１３】  本発明の斜視図である。
【図１４】  本発明の斜視図である。
【図１５】  本発明の使用図である。
【図１６】  本発明の正面図と右側面図である。
【符号の説明】
【００１１】  １  下部                  ２  上部                  ３  側面
４  下部裏部              ５  中央                  ６  芯部
７  ソファー              ８  擬似的下台            ９  積載物
１０  後方                １１  ストッパー          １２  脚部
１３  前面側内部          １４  中央断面            １５  凹み
１６  狭持部              １７  生地                １８  ベルト
１９  底面部
【図１】
2010214075.tif 000003
【図２】
2010214075.tif 000004
【図３】
2010214075.tif 000005
【図４】
2010214075.tif 000006
【図５】
2010214075.tif 000007
【図６】
2010214075.tif 000008
【図７】
2010214075.tif 000009
【図８】
2010214075.tif 000010
【図９】
2010214075.tif 000011
【図１０】
2010214075.tif 000012
【図１１】
2010214075.tif 000013
【図１２】
2010214075.tif 000014
【図１３】
2010214075.tif 000015
【図１４】
2010214075.tif 000016
【図１５】
2010214075.tif 000017
【図１６】
2010214075.tif 000018